(57)【要約】【課題】屋根材を長期期間使用し劣化が著しくなり、屋根材の重なり部の空間が増しても、縁切り材が離脱せず、更に縁切り材の周囲に滞留した雨水を積極的に排水し、また屋根材の重なり部に挿入された縁切り材の外周部に人が足で踏む等の荷重が加わっても屋根材の破損が発生しない縁切り材を提供することである。【解決手段】本発明は、上記課題を解決するため、上下屋根材１０ａ、１０ｂの重なり部１０ｃに挿入され、前記重なり部１０ｃに常時空間を形成し、屋根材１０間に侵入した雨水を排水させる屋根材の縁切り材であって、上屋根材１０ａの下端部に引っ掛り、縁切り材の位置決めをするストッパー２と、前記ストッパー２の底部に、上屋根材１０ａ下端部側のストッパー面と略垂直になるよう固定された挿入部と、前記挿入部の反挿入側端部に連設した突出部とからなることを特徴とする屋根材の縁切り材の構成とした。【選択図】図２
2010024759.tif 000002
【特許請求の範囲】
【請求項１】
上下屋根材の重なり部に挿入され、前記重なり部に常時空間を形成し、屋根材間に侵入した雨水を排水させる屋根材の縁切り材であって、上屋根材の下端部に引っ掛り、縁切り材の位置決めをするストッパーと、前記ストッパーの底部に、上屋根材下端部側のストッパー面と略垂直になるよう固定された挿入部と、前記挿入部の反挿入側端部に連設した突出部とからなることを特徴とする屋根材の縁切り材。
【請求項２】
前記ストッパーと挿入部とが、段差を設け排水溝を形成して固定されたことを特徴とする
請求項１に記載の屋根材の縁切り材。
【請求項３】
前記突出部が、下屋根材表面の上方に向け、下屋根材面に対して角度４５°未満の範囲で屈曲して、前記挿入部の反挿入側端部に連設したことを特徴とする請求項１又は請求項２に記載の屋根材の縁切り材。
【請求項４】
前記挿入部を、前記ストッパーの左右両端部に、間隔を開け２本設けたことを特徴とする請求項１〜請求項３の何れか１項に記載の屋根材の縁切り材。
【請求項５】
前記挿入部に、脱離防止片を設けたことを特徴とする請求項１〜請求項４の何れか１項に記載の屋根材の縁切り材。
【請求項６】
前記左右挿入部の間に、前記左右挿入部と間隔を開け、中央挿入部を設けたことを特徴とする請求項４又は請求項５に記載の屋根材の縁切り材。
【請求項７】
前記脱離防止片を設けた挿入部には、前記脱離防止片が上下屋根材に圧縮され変形した際に、前記脱離防止片を収納する空間である収納部が設けられ、かつ、前記脱離防止片は、前記収納部内部の挿入先端側に一端が接続し、他端が下屋根材側に斜めに突出すると共に、脱離防止片の底面に下屋根材方向に対して係止力を発揮する係止突起を形成したことを特徴とする請求項５又は請求項６に記載の屋根材の縁切り材。
【請求項８】
前記挿入部の先端部が、挿入方向に向かって薄くなるテーパー状であることを特徴とする請求項１〜請求項７の何れか１項に記載の屋根材の縁切り材。
【発明の詳細な説明】
【技術分野】
【０００１】
本発明は、家屋の屋根に葺かれる板状の屋根材の塗装後、上下屋根材の重なり部に挿入され、重なり部の塗膜の切断し、重なり部に常時空間を形成し、屋根材間に侵入した雨水を積極的に排水させる屋根材の縁切り材に関する発明である。
【背景技術】
【０００２】
従来、屋根材、特に平板スレート屋根材は、図９に示すように、屋根の野地板１４の上に、防水シート１２を貼り、軒側端部から下屋根材１０ｂを釘などの留具１３で固定し、その上に上屋根材１０ａを重ねながら屋根上部に向け貼っていた。
【０００３】
しかし、家屋の築年数が経過すると、屋根材の塗膜１１が劣化するとともに、屋根材の下端部が反り返り、防水性が失われるため、屋根材の葺き替え、或いは屋根材の再塗装が必要であった。
【０００４】
再塗装の際、屋根材の単に塗装を行うと、塗料により上下屋根材１０ａ、１０ｂの重なり部１０ｃが塗膜１１で密閉され、雨水などの水分の排水性が悪化する。その結果、滞留した雨水等が長期間放置され、野地板１４を腐蝕、破損させ、さらには天井の雨漏りに繋がる。
【０００５】
それを改善するため、屋根材の重なり部１０ｃの塗膜１１によるふさがり部分を切断する特許文献１〜３に記載の屋根材の縁切り部材が開発されている。
【０００６】
これら縁切り部材は、屋根材表面の塗装後、重なり部１０ｃに挿入することにより、雨水の排水性を確保するものである。
【０００７】
例えば、特許文献３の縁切り部材１５は、図１０に示すように、屋根の補修のため再塗装した後、屋根材の重なり部１０ｃに打ち込んだまま使用する縁切り部材であって、前記屋根材の重なり部１０ｃに挿入する多角形状の板状をなす本体１６と、前記本体１６には該本体１６が屋根の重なり部１０ｃから離脱しないため本体１６の底部に弾性体に凹凸形状を形成した収納部１６ｃに収納可能な脱離防止片１６ａおよび離脱防止用凸形状部と、前記本体１６の一部に屋根材の重なり部１０ｃに侵入してくる雨水等を溜める排水溜り用空間１６ｂと、前記本体１６の手前部に所定の位置決めをするストッパー１７と、前記ストッパー１７の下部に前記空間１６ｂに溜まった雨水等を排水する排水溝とからなることを特徴とする。
【０００８】
図１１に、特許文献３に記載の縁切り部材１５の屋根材への使用状態を示した。重なり部１０ｃに縁切り部材１５を挿入すると、重なり部１０ｃに、常時空間を形成し、屋根材間に侵入した雨水を排水溝１７ａから積極的に排水できるというものである。排水溝１７ａは、ストッパー１７と、本体１６が段差１７ｂを設けた連設されるため形成される。
【特許文献１】特開２００５−１２０８０１号公報
【特許文献２】特開２００６−１２５１７３号公報
【特許文献３】特開２００７−０５１５２１号公報
【発明の開示】
【発明が解決しようとする課題】
【０００９】
しかしながら、特許文献３に記載の屋根材の縁切り部材１５では、上下屋根材１０ａ、１０ｂ間の雨水を積極的に排水することができるものの、縁切り部材１５周辺に、上下屋根材１０ａ、１０ｂと縁切り部材１５との間に、雨水が滞留し続けるとの現象がみられた。
【００１０】
その原因を探求したところ、縁切り部材１５が、板状の本体１６を有すること、ストッパー１７が本体１６に対して、垂直に起立していることに起因することの結論を得た。
【００１１】
そこで、本発明は、屋根材を長期期間使用し劣化が著しくなり、屋根材の重なり部１０ｃの空間が増しても、縁切り材が離脱せず、更に縁切り材の周囲に滞留した雨水を積極的に排水し、また屋根材の重なり部１０ｃに挿入された縁切り材の外周部に人が足で踏む等の荷重が加わっても屋根材の破損が発生しない縁切り材を提供することを目的とする。
【課題を解決するための手段】
【００１２】
本発明は、上記課題を解決するために、上下屋根材１０ａ、１０ｂの重なり部１０ｃに挿入され、前記重なり部１０ｃに常時空間を形成し、屋根材１０間に侵入した雨水を排水させる屋根材の縁切り材であって、上屋根材１０ａの下端部に引っ掛り、縁切り材の位置決めをするストッパー２と、前記ストッパー２の底部に、上屋根材１０ａ下端部側のストッパー面と略垂直になるよう固定された挿入部と、前記挿入部の反挿入側端部に連設した突出部とからなることを特徴とする屋根材の縁切り材の構成とした。
【００１３】
さらに、前記ストッパー２と挿入部とが、段差９を設け排水溝を形成して固定されたことを特徴とする前記屋根材の縁切り材の構成、前記突出部が、下屋根材１０ｂ表面の上方に向け、下屋根材１０ｂ面に対して角度４５°未満の範囲で屈曲して、前記挿入部の反挿入側端部に連設したことを特徴とする前記屋根材の縁切り材の構成、前記挿入部を、前記ストッパー２の左右両端部に、間隔を開け２本設けたことを特徴とする前記何れかに記載の屋根材の縁切り材構成とした。
【００１４】
また、前記挿入部に、脱離防止片を設けたことを特徴とする前記何れかに記載の屋根材の縁切り材の構成、前記左右挿入部３、４の間に、前記左右挿入部３、４と間隔を開け、中央挿入部５を設けたことを特徴とする前記屋根材の縁切り材の構成、前記脱離防止片を設けた挿入部３、４には、前記脱離防止片３ａ、４ａが上下屋根材１０ａ、１０ｂに圧縮され変形した際に、前記脱離防止片３ａ、４ａを収納する空間である収納部３ｆ、４ｆが設けられ、かつ、前記脱離防止片３ａ、４ａは、前記収納部３ｆ、４ｆ内部の挿入先端側に一端が接続し、他端が下屋根材１０ｂ側に斜めに突出すると共に、脱離防止片３ａ、４ａの底面に下屋根材１０ｂ方向に対して係止力を発揮する係止突起３ｅ、４ｅを形成したことを特徴とする前記屋根材の縁切り材の構成とした。
【００１５】
加えて、前記挿入部３、４、５の先端部３ｃ、４ｃ、５ａが、挿入方向に向かって薄くなるテーパー状であることを特徴とする前記何れかに記載の屋根材の縁切り材の構成とした。
【発明の効果】
【００１６】
本発明は以上の構成であるから以下の効果を有する。先ず、特許文献３のように板状の本体１６を採用せず、各挿入部の反挿入端部に突出部を設けたことで、縁切り材周辺に雨水が滞留することがない。さらに、突出部が、下屋根材表面の上方に向け、下屋根材面に対して角度４５°未満の範囲で屈曲して、前記挿入部の反挿入側端部に連設するため、より一層縁切り材周辺に雨水を滞留させることなく、排出させることができる。
【００１７】
また、ストッパーと挿入部とが、段差を設け排水溝を形成しているため、積極的に屋根材間の雨水を排水させることができる。毛細管現象により、雨水等が野地板１４に浸入し腐蝕、破損させることも排除できる。
【００１８】
挿入部を、それぞれ間隔を開け、２本、或いは３本とすることで、特許文献３のように、板状の本体１６を構成せずとも、所定の長さのストッパーを確保し、挿入部を重なり部１０ｃ打ち込め、さらに縁切り部周辺に滞留する雨水の量を極めて少なくすることができる。
【００１９】
挿入部に設けた弾性体からなる脱離防止片により、屋根材が経年変化で屋根材間の空間が所定量より増しても、縁切り材は当初の部位に止まり、常時雨水等の排水を行い、野地板１４等の腐蝕、破損を防止する。
【００２０】
挿入部の先端部が、挿入方向に向かって薄くなるテーパー状であるので、挿入部を屋根材の重なり部１０ｃに挿入し易く、また各挿入部が細い棒状であるため、外周部に、人等が足で踏む等、局部的に荷重が加わっても屋根材が破損することを防止できる。
【発明を実施するための最良の形態】
【００２１】
以下、添付図面に基づいて、本発明である屋根材の縁切り材について詳細に説明する。
【実施例１】
【００２２】
図１は本発明である屋根材の縁切り材の正面（Ａ）及び背面（Ｂ）図、図２が平面図、図３が底面図、図４は右側面図及び図２Ａ−Ａ位断面図、図５は図２Ｂ−Ｂ位断面図である。
【００２３】
本発明の一例である縁切り材１は、上屋根材１０ａの下端部に引っ掛かり、縁切り材の挿入位置の位置決めをするストッパー２と、前記ストッパー２の底部に、上屋根材１０ａ端部側のストッパー２面と略垂直になるようそれぞれ間隔を開け固定された左挿入部３、右挿入部４、中央挿入部５と、前記各挿入部３、４、５の反挿入側端部に連設した左突出部６、右突出部７、中央突出部８とからなる。
【００２４】
そのようにしてなる当該縁切り材１は、上下屋根材１０ａ、１０ｂの重なり部１０ｃに挿入され、前記重なり部１０ｃに常時空間を形成し、屋根材１０間に侵入した雨水を排水させると共に、縁切り材１周辺に滞留する雨水を極めて少なくする。
【００２５】
また、前記ストッパー２と左右及び中央挿入部３、４、５とは、段差９を設け固定され、それにより下屋根材１０と縁切り材１との間に雨水の排出口となる排水溝３ｂ、４ｂを形成する。縁切り材１の近傍に集中した雨水等は、その自重により、排水溝３ｂ、４ｂより、下屋根材１０ｂ上を流下し、排出される。
【００２６】
左右及び中央突出部６、７、８は、それぞれ下屋根材１０ｂ表面の上方に向け、下屋根材１０ｂ面に対して角度１５°（図４（Ｂ）θ）屈曲し、それぞれ各挿入部３、４、５に連設している。角度θは、４５°未満の範囲で屈曲して連設されていればよい。より好ましくは、角度θは５°以上３０°未満の範囲で屈曲していること好ましい。
【００２７】
角度θが、前記範囲で屈曲して穿設されておれば、雨水は、各突出部６、７，８下面と、下屋根材１０ｂの表面との間に毛細管現象及び表面張力で強制的に排出され、次々に蒸発し、縁切り材１周辺に長期滞留することはない。
【００２８】
一方、角度４５°以上では、毛細管現象及び表面張力が十分発揮されず、各挿入部６、７，８と下屋根材１０ｂの表面との間に滞留した雨水を重なり部１０ｃから外部に排出することができない。従って、雨水は、各挿入部と下屋根材との間に、長期間滞留し、屋根材１０下部の腐蝕に繋がる。
【００２９】
左右及び中央挿入部３、４、５の先端部３ｃ、４ｃ、５ａは、挿入方向に向かって薄くなるテーパー状をなし、重なり部１０ｃに挿入し易くなっている。また、左右及び中央挿入部３、４、５の底面には、三角、四角、丸等の複数個の脱離防止用凸部を設けもよい。その断面形状は、四角形状でもよいが、楔形状の方が離脱防止効果をより高める。
【００３０】
左右挿入部３、４には、脱離防止片３ａ、４ａが設けられている。脱離防止片３ａを設けた左挿入部３には、脱離防止片３ａが上下屋根材１０ａ、１０ｂに圧縮され、変形した際に、前記脱離防止片３ａを収納する空間である収納部３ｆが設けられている。なお、中央挿入部５にも、同様に収納部、脱離防止片を設けてもよいが、左右挿入部３、４の２箇所に脱離防止片３ａ、４ａを設けるだけでも十分脱離防止効果を発揮する。
【００３１】
脱離防止片３ａは、前記収納部３ｆ内部の挿入先端側に一端が接続し、他端が下屋根材１０ｂ側に斜めに突出すると共に、脱離防止片３ａの底面には下屋根材１０ｂ方向に対して係止力を発揮する係止突起３ｅが形成されている。脱離防止片４ａも同様である。
【００３２】
なお、脱離防止片３ａ、４ａはここでは、下屋根材側に斜めに突出しているが、上屋根材１０ａ側に突出させてもよい。また、脱離防止片は、これら形状に限定されず、さらには、弾性体として上下屋根材１０ａ、１０ｂに係止されるものであればよい。
【００３３】
屋根材１０は、約７〜８ 年経過した時点で再塗装の時期となる。再塗装後、屋根材１０の重なり部１０ｃに雨水等が滞留しないように、本縁切り材１が挿入される。しかし、再塗装して、更に長期間経過すると、屋根材の劣化により、屋根材１０の重なり部１０ｃに隙間が発生し、その値は増加傾向となる。
【００３４】
屋根材１０は、使用後１０年を経過すると高温、多湿と悪い環境の地域では、屋根材１０の重なり部１０ｃの隙間は７〜８ｍｍ程度になることがあるが、脱離防止片３ａ、３ｂにより縁切り材１は脱落しない。
【００３５】
本縁切り材１は、屋根の重なり部１０ｃの隙間が想定以上に増加しても、脱離防止片３ａ、４ａの弾性により、屋根材１０の重なり部１０ｃの隙間に対し、充分追従できるよう設定されているので、離脱することはない。
【００３６】
一般的なスレート屋根材１０の場合、縁切り材１の各構成の大きさについては概ね次の通りで十分雨水の排出作用を発揮する。ストッパー２の屋根材１０と水平方向の長さ（横）は５．５ｍｍ、屋根材からの垂直方向の長さ（高さ）は６ｍｍ、厚みは２ｍｍ程度でよい。また各挿入部の挿入長は２２ｍｍ、幅６ｍｍ、テーパー状でない部分の厚さは２ｍｍ程度、突出部の突出長はストッパー２から５ｍｍ程度でよい。
【００３７】
このようなサイズであれば、屋根材１０の縁切り、上下屋根材１０ａ、１０ｂ間への挿入、さらに雨水の排水機能も十分発揮することができ、さらに加重による屋根材の破損もない。
【００３８】
縁切り材１の素材としては、長期使用に対する腐蝕性、加工の容易性の観点から、樹脂系素材が好ましい。
【００３９】
図６は、本発明である屋根材の縁切り材の使用状態図である。上下に位置する各屋根材１０の重なり部１０ｃに、屋根材１枚につき、縁切り材１を１〜３個程度挿入する。特に、上屋根材同士が接合する部分に挿入すると、屋根材１０間に侵入した雨水を効率よく排出することができる。
【００４０】
尚、屋根材１０の重なり部１０ｃに縁切り材１を挿入するには、縁切り材１の先端部３ｃ、４ｃ、５ａを屋根材１０の重なり部１ ０ｃに少量差し入れ、その後手動あるいは冶具でストッパー２の反挿入側面に荷重をかけることで容易に挿入ができる。
【００４１】
図７は本発明である屋根材の縁切り材の使用状態図６Ｃ−Ｃ位断面図、図８は本発明である屋根材の縁切り材の使用状態図６における縁切り材図２Ｂ−Ｂ断面に相当する断面図である。
【００４２】
縁切り材１を重なり部１０ｃに挿入すると、上下屋根材１０ａ、１０ｂからの圧力で、脱離防止片４ａ（３ａ）は収納部４ｆ（３ｆ）に収納されつつ、その弾性力及び係止突起４ｅ（３ｅ）によって、下屋根材１０ｂに係止し、縁切り材１を重なり部１０ｃに留まる。
【００４３】
また、図８で明らかなように、ストッパー２と下屋根材１０ｂとの間に排水溝４ｂ（３ｂ）が開口しているため、雨水を上下屋根材１０ａ、１０ｂの間から外部に排出することができる。さらに、各挿入部近傍に集中した雨水も、各突出部と下屋根材１０ｂとの間に、毛細管現象及び表面張力により、上下屋根材１０ａ、１０ｂ間から引き出される。これにより、より積極的に、雨水を排出し、縁切り材１近傍に集中した僅かな雨水をも排出することができる。
【００４４】
さらに、本発明である縁切り材１は、２本、３本又はそれ以上の挿入部をストッパー２底部に間隔を開け備えるため、塗膜１１の縁切り及び屋根材１０間の雨水を排出する共に、屋根材１０の重なり部１０ｃに挿入され、直上に人が足等で踏む等の過度の荷重が加わったとしても、屋根材１０が亀裂、破損することなく、雨水等の浸入により野地板１４の腐蝕、破損を防止する。
【図面の簡単な説明】
【００４５】
【図１】本発明である屋根材の縁切り材の正面及び背面図である。
【図２】本発明である屋根材の縁切り材の平面図である。
【図３】本発明である屋根材の縁切り材の底面図である。
【図４】本発明である屋根材の縁切り材の右側面及び図２Ａ−Ａ位断面図である。
【図５】本発明である屋根材の縁切り材の図２Ｂ−Ｂ位断面図である。
【図６】本発明である屋根材の縁切り材の使用状態図である。
【図７】本発明である屋根材の縁切り材の使用状態図６Ｃ−Ｃ位断面図である。
【図８】本発明である屋根材の縁切り材の使用状態図６における縁切り材図２Ｂ−Ｂ断面に相当する断面図である。
【図９】再塗装後の屋根材の断面図である。
【図１０】従来の縁切り部材の斜視図である。
【図１１】従来の縁切り部材の使用状態の断面図である。
【符号の説明】
【００４６】
１      縁切り材
２      ストッパー
３      左挿入部
３ａ    脱離防止片
３ｂ    排水溝
３ｃ    先端部
３ｅ    係止突起
３ｆ    収納部
４      右挿入部
４ａ    脱離防止片
４ｂ    排水溝
４ｃ    先端部
４ｅ    係止突起
４ｆ    収納部
５      中央挿入部
５ａ    先端部
６      左突出部
７      右突出部
８      中央突出部
９      段差
１０    屋根材
１０ａ  上屋根材
１０ｂ  下屋根材
１０ｃ  重なり部
１１    塗膜
１２    防水シート
１３    留具
１４    野地板
１５    縁切り部材
１６    本体
１６ａ  脱離防止片
１６ｂ  排水溜り用空間
１６ｃ  収納部
１７    ストッパー
１７ａ  排水溝
１７ｂ  段差
【図１】
2010024759.tif 000003
【図２】
2010024759.tif 000004
【図３】
2010024759.tif 000005
【図４】
2010024759.tif 000006
【図５】
2010024759.tif 000007
【図６】
2010024759.tif 000008
【図７】
2010024759.tif 000009
【図８】
2010024759.tif 000010
【図９】
2010024759.tif 000011
【図１０】
2010024759.tif 000012
【図１１】
2010024759.tif 000013